(57)【要約】【課題】持ち運びできる程度の軽量な構成でありながら、風呂内に貯留される湯水の無駄を少なくすることのできる簡易風呂を提供する。【解決手段】この簡易風呂１００ａは、身体障害者又は老齢者が使用可能なものであって、上端が開放され、かつ上下方向に伸縮自在な断面矩形状の袋体１と、この袋体１の外周に取り付けられる金網状の壁体３と、この壁体３と袋体１との間に交換可能に介設され、前記身体障害者又は老齢者の体格に応じて袋体１の容積を増減させるための補助壁体４とを備えている。【選択図】図１
2012019837.tif 000002
【特許請求の範囲】
【請求項１】
身体障害者又は老齢者が使用可能な簡易風呂であって、
上部が開放され、かつ上下方向に伸縮自在な袋体と、
この袋体の外周に設けられる金網状の壁体と、
この壁体と袋体との間に交換可能に介設され、前記身体障害者又は老齢者の体格に応じて前記袋体の容積を増減させるための補助壁体とを備えたことを特徴とする簡易風呂。
【請求項２】
前記袋体の外周をさらに覆う補助袋体を備えたことを特徴とする請求項１記載の簡易風呂。
【請求項３】
前記前記身体障害者又は老齢者は、袋体に入ったまま、椅子又はシャワーキャリーに腰掛けることが可能であるように構成したことを特徴とする請求項１又は２記載の簡易風呂。
【請求項４】
前記袋体の底部にキャスタ付きの支持体を備えたことを特徴とする請求項１〜３のいずれか１項に記載の簡易風呂。
【請求項５】
前記袋体の少なくとも一側は構造壁に支持されるとともに、前記袋体の他側には前記壁体が設けられたことを特徴とする請求項１〜４のいずれか１項に記載の簡易風呂。
【請求項６】
身体障害者又は老齢者が使用可能な簡易風呂の組み立て方法であって、
上端が開放された袋体を上下方向に伸縮させて、
この袋体の外周に金網状の壁体を取り付けるときに、
この壁体と袋体との間に前記身体障害者又は老齢者の体格に応じて前記袋体の容積を増減させるための補助壁体を交換可能に介設させることを特徴とする簡易風呂の組み立て方法。
【発明の詳細な説明】
【技術分野】
【０００１】
本発明は、例えば高齢者や身体障害者等の被介護者が入浴可能な簡易風呂及びその組み立て方法に関するものである。
【背景技術】
【０００２】
一般的な風呂は、浴槽を跨いで入浴するものであるため、例えば高齢者や身体障害者等の被介護者を、介護者が支えて入浴させることが困難となる。このため、自宅にいる被介護者のために、専用の入浴装置を備えた自動車でその自宅に回って、定期的な入浴サービスを行っている。また、介護施設では、専用のリフト装置を備えていることが多い。したがって、被介護者は、自宅や介護施設では、適切な入浴サービスを受けることができる。
【０００３】
ところで、被介護者は自宅や介護施設に引き篭もりがちであるので、たまには気分転換に旅行などをさせてあげたいことがある。その場合、自宅や介護施設では前記のような入浴サービスを受けることができても、通常、旅行先では前記のような一般的な風呂しか用意されていないため、被介護者の入浴が困難であるといった問題があった。また、旅行に限らず、夏場で汗をかいたときなど、自宅に簡易な風呂があれば、いつでも入浴できて便利である。
【０００４】
そこで、例えば特許文献１では、内部に椅子を設置し、貯水を行い得るように上部を開放した耐水袋の外周に縦横両フレームを組み立て、上部横フレームに前記耐水袋を直接吊り下げて着脱自在に固定することにより、該耐水袋内への湯水の貯水状態を保持し得るようにした簡易風呂が開示されている。
【発明の概要】
【発明が解決しようとする課題】
【０００５】
しかし、前記特許文献１の簡易風呂では、その耐水袋内に貯留される湯水の量がほぼ一定であり、この簡易風呂を利用する被介護者の体格によっては、湯水の無駄が多くなるといった問題があった。しかも、かかる簡易風呂では、衛生上などの理由により、その利用をするたびに袋内の湯水の全部を入れ替えるのが通常であった。この場合において、袋内の湯水レベルだけで湯水の量を多少は調整できるのであるが、湯水レベルを下げすぎると利用中の被介護者の上体が湯水からはみ出てしまい不具合である。
【０００６】
また、前記特許文献１の簡易風呂では、特に縦横両フレームの重量が大きく、この簡易風呂を旅行先に移動させにくいといった問題もあった。
【０００７】
本発明は、このような状況に鑑みなされたものであって、持ち運びできる程度の軽量な構成でありながら、風呂内に貯留される湯水の無駄を少なくすることのできる簡易風呂を提供することを目的としている。
【課題を解決するための手段】
【０００８】
本発明は、身体障害者又は老齢者が使用可能な簡易風呂であって、上部が開放され、かつ上下方向に伸縮自在な袋体と、この袋体の外周に設けられる金網状の壁体と、この壁体と袋体との間に交換可能に介設され、前記身体障害者又は老齢者の体格に応じて前記袋体の容積を増減させるための補助壁体とを備えたことを特徴とするものである。
【０００９】
本発明によれば、上部が開放され、かつ上下方向に伸縮自在な袋体と、この袋体の外周に設けられる金網状の壁体と、この壁体と袋体との間に交換可能に介設され、前記身体障害者又は老齢者の体格に応じて前記袋体の容積を増減させるための補助壁体とが備えられたので、身体障害者又は老齢者といった被介護者の体格に応じて補助壁体を交換することにより、袋体を立体的に変形させてその容積の増減を効果的に行うことができる。これにより、袋体内に貯留する湯水の無駄を非常に少なくすることができる。
【００１０】
また、袋体の外周に壁体を設けただけの簡易風呂に、補助壁体を後付けできて便利である。これにより、簡易風呂を使用する被介護者が複数であった場合や、たとえ同一人であっても加齢などによりその体格が大幅に変わった場合などにも、補助壁体を交換するだけで対応できるので、非常に経済的である。
【００１１】
また、簡易風呂を旅行先等に持ち運ぼうとしたときには、できるだけ軽量であることが好ましいが、ここでは金網状の壁体を設けているため、それらを軽量化できる。したがって、従来例（特許文献１）と同程度の重量であるとすると、袋体内の入浴スペースをより広くとることができる一方、前記従来例と同程度の入浴スペースであるとすると、さらなる軽量化を図ることができる。
【００１２】
ところで、冬場には外気温度が低くなるため、袋体の外周からの放熱が大きくなり、その袋体内に貯留される湯水の量が少ない場合には、特に湯水の温度が低下しやすい。そこで、請求項２記載の発明のように、前記袋体の外周をさらに覆う補助袋体を備えることが好ましい。
【００１３】
請求項２記載の発明によれば、前記袋体の外周をさらに覆う補助袋体を備えたので、いわば二重構造となって、袋体の外周からの放熱が小さくなり、その袋体内に貯留される湯水の温度が維持されやすくなる。
【００１４】
また、自立が困難な身体障害者又は老齢者は、椅子又はシャワーキャリーに座った状態で風呂に入りたい。そこで、請求項３記載の発明のように、前記前記身体障害者又は老齢者は、袋体に入ったまま、椅子又はシャワーキャリーに腰掛けることが可能であるように構成することが好ましい。
【００１５】
請求項３記載の発明によれば、前記前記身体障害者又は老齢者は、袋体に入ったまま、椅子又はシャワーキャリーに腰掛けることが可能であるように構成したので、自立が困難な身体障害者又は老齢者は、椅子又はシャワーキャリーに座った状態で風呂に入ることができる。その場合には、椅子又はシャワーキャリーの占める容積分だけ、袋体内に貯留される湯水の量がさらに少なくなる。また、椅子などが袋体内に入らないので、その付着物などにより湯水を汚染するおそれがなくなり、衛生的である。
【００１６】
また、風呂の組み立て後に、その風呂を部屋の片隅などに移動させておきたいことがある。そこで、請求項４記載の発明のように、前記袋体の底部にキャスタ付きの支持体を備えることが好ましい。
【００１７】
請求項４記載の発明によれば、前記袋体の底部にキャスタ付きの支持体を備えたので、組み立て後の風呂の移動が容易となる。
【００１８】
また、風呂の設置場所によっては、その場所にある構造壁を利用できることがある。そこで、請求項５記載の発明のように、前記袋体の少なくとも一側は構造壁に支持されるとともに、前記袋体の他側には前記壁体が設けられることが好ましい。
【００１９】
請求項５記載の発明によれば、前記袋体の少なくとも一側は構造壁に支持されるとともに、前記袋体の他側には前記壁体が設けられたので、袋体の安定性が確保されるとともに、その袋体の少なくとも一側の壁体が省略されて、風呂をさらに軽量化することができる。
【００２０】
また、請求項６記載の発明は、身体障害者又は老齢者が使用可能な簡易風呂の組み立て方法であって、上端が開放された袋体を上下方向に伸縮させて、この袋体の外周に金網状の壁体を取り付けるときに、この壁体と袋体との間に前記身体障害者又は老齢者の体格に応じて前記袋体の容積を増減させるための補助壁体を交換可能に介設させることを特徴とするものである。
【００２１】
請求項６記載の発明によれば、上端が開放された袋体を上下方向に伸縮させて、この袋体の外周に金網状の壁体を取り付けるときに、この壁体と袋体との間に前記身体障害者又は老齢者の体格に応じて前記袋体の容積を増減させるための補助壁体を交換可能に介設させるので、簡易風呂を旅行先等で容易に組み立てることができ、或いはこの組み立てたものを容易に分解することができる。また、このようにして組み立てられた簡易風呂は、前記本発明による作用効果を奏する。
【発明の効果】
【００２２】
本発明によれば、上部が開放され、かつ上下方向に伸縮自在な袋体と、この袋体の外周に設けられる金網状の壁体と、この壁体と袋体との間に交換可能に介設され、前記身体障害者又は老齢者の体格に応じて前記袋体の容積を増減させるための補助壁体とが備えられたので、身体障害者又は老齢者といった被介護者の体格に応じて補助壁体を交換することにより、袋体を立体的に変形させてその容積の増減を効果的に行うことができる。これにより、袋体内に貯留する湯水の無駄を非常に少なくすることができる。
【００２３】
また、袋体の外周に壁体を設けただけの簡易風呂に、補助壁体を後付けできて便利である。これにより、簡易風呂を使用する被介護者が複数であった場合や、たとえ同一人であっても加齢などによりその体格が大幅に変わった場合などにも、補助壁体を交換するだけで対応できるので、非常に経済的である。
【００２４】
また、簡易風呂を旅行先等に持ち運ぼうとしたときには、できるだけ軽量であることが好ましいが、ここでは金網状の壁体を設けているため、それらを軽量化できる。したがって、従来例（特許文献１）と同程度の重量であるとすると、袋体内の入浴スペースをより広くとることができる一方、前記従来例と同程度の入浴スペースであるとすると、さらなる軽量化を図ることができる。
【００２５】
請求項６記載の発明によれば、上端が開放された袋体を上下方向に伸縮させて、この袋体の外周に金網状の壁体を取り付けるときに、この壁体と袋体との間に前記身体障害者又は老齢者の体格に応じて前記袋体の容積を増減させるための補助壁体を交換可能に介設させるので、簡易風呂を旅行先等で容易に組み立てることができ、或いはこの組み立てたものを容易に分解することができる。また、このようにして組み立てられた簡易風呂は、前記本発明による作用効果を奏する。
【図面の簡単な説明】
【００２６】
【図１】本発明の実施形態１に係る簡易風呂の概略構成を示す図であって、（ａ）は側面図、（ｂ）は正面図である。
【図２】本実施形態１に係る簡易風呂の壁体と補助壁体とを示す説明図である。
【図３】本実施形態１に係る簡易風呂の組み立て状態を示す工程図である。
【図４】本発明の実施形態２に係る簡易風呂の概略構成を示す図であって、（ａ）は側面図、（ｂ）は正面図である。
【図５】本実施形態２に係る簡易風呂の壁体と補助壁体とを示す説明図である。
【図６】本実施形態２に係る簡易風呂の組み立て状態を示す工程図である。
【図７】本発明の実施形態３に係る簡易風呂の概略構成を示す図であって、（ａ）は側面図、（ｂ）は正面図である。
【図８】本実施形態３に係る簡易風呂の組み立て状態を示す工程図である。
【図９】本発明の実施形態４に係る簡易風呂の概略構成を示す図であって、（ａ）は側面図、（ｂ）は正面図である。
【図１０】本実施形態４に係る簡易風呂の組み立て状態を示す工程図である。
【図１１】本発明の実施形態５に係る簡易風呂の概略構成を示す図であって、（ａ）は側面図、（ｂ）は正面図である。
【図１２】本実施形態５に係る簡易風呂の壁体と補助壁体とを示す説明図である。
【図１３】本実施形態５に係る簡易風呂の組み立て状態を示す工程図である。
【発明を実施するための形態】
【００２７】
（実施形態１）
図１は本発明の実施形態１に係る簡易風呂１００ａの概略構成を示す図であって、（ａ）は側面図、（ｂ）は正面図である。また、図２はこの簡易風呂１００ａの壁体３と補助壁体４とを示す説明図である。
【００２８】
図１（ａ）（ｂ），図２に示すように、本実施形態１に係る簡易風呂１００ａは、使用者としての例えば高齢者や身体障害者等の被介護者２００が椅子２に腰掛けた状態で入浴可能なものであって、上部が開放され、かつ上下方向に伸縮自在な袋体１と、この袋体１の外周に設けられる折り畳み可能な金網状の壁体３と、この壁体３と袋体１との間に交換可能に介設され、前記身体障害者又は老齢者２００の体格に応じて前記袋体１の容積を増減させるための補助壁体４とを備えている。
【００２９】
袋体１は、例えば市販のナイロンニットにポリウレタンラミネートを施した防水シートを適宜形状にカットしたものを圧着して貼り合わせ、或いは縫い合わせてなり、その組み立て形状は、底部が５００×６００ｍｍ程度で、高さが８００ｍｍ程度の上部が開放された縦長箱状のものである。なお、袋体１の各部の厚さは、介護者や被介護者２００によって加えられうる物理的な力と、内部にお湯を漲ったときの水圧とに十分に耐えうる程度のものとされる。この袋体１は洗濯機で洗えるものであり、例えば銀を練りこんだ市販の衛生製品を使用することもできる。その場合には、制菌性に優れ、かつ不快臭気や静電気の発生防止も期待される。
【００３０】
この袋体１の上縁部には、ほつれを防止するために図略の折り返し等によるいわゆる縁取り加工が施されている。この上縁部の適宜箇所には、それぞれフック７を挿通することのできる留め金６が取り付けられている。
【００３１】
壁体３は、図２の下段に示すように、例えばステンレス製で四角形の網状体４面３１，３２，３３，３４からなっている。ここでは、壁体３１，３３の大きさとして、５００ｍｍ×８００ｍｍ、壁体３２，３４の大きさとして６００ｍｍ×８００ｍｍをそれぞれ採用しているが。被介護者２００の体格によっては、他の寸法を採用することもできる。
【００３２】
壁体３１，３２，３３，３４の網目の大きさや形状は、袋体１にお湯を張ったときの袋体１の膨らみなどを考慮して設定される。ここでは、１００ｍｍ×１００ｍｍ程度の正方形を採用したが、菱形やその他の形状であってもよい。そして、隣り合う壁体同士である３１，３２間と、３２，３３間と、３３，３４間とは、例えばヒンジ結合されて折り畳み自在となっている。残りの３１，３４間は、被介護者２００の出入りが楽にできるように、留め金３０で係脱自在に固定されるようになっている。
【００３３】
補助壁体４は、図２の上段に示すように、これも例えばステンレス製の網状体からなり、前記壁体の１面３１にフック４０で交換可能に取り付けるようになっている。その形状と大きさとは、被介護者２００の体格に応じて設定される。すなわち、被介護者２００が袋体１に入ったときに、壁体３との間に生じる空間の境界面をなぞるようにして設定される。ここでは、５００ｍｍ×３００ｍｍ、５００ｍｍ×２００ｍｍ、５００ｍｍ×３００、５００×１００ｍｍ程度の４面を階段状に連結したものを採用している。なお、この補助壁体４についても、特に嵩高いものについては、壁体３と同様に折り畳み自在となっていることが好ましい。
【００３４】
以下、本簡易風呂１００ａの組み立て・分解方法について説明する。図３は本簡易風呂１００ａの組み立て状態を示す工程図である。
【００３５】
それぞれ折り畳み或いは縮小させた状態の袋体１と４面の壁体３と補助壁体４とフック７などからなる各パーツは、すべて図略のバッグ内に収められており、その全体の重量は４〜６ｋｇ（発明者が実施モデルにて実測した値である。）程度と軽量であるがゆえに、旅行時に容易に持ち運びできる。
【００３６】
ここでは、椅子２は持参することなく、旅行先等で用意されたものを使用することとしたが、別途椅子２を持参してもよい。
【００３７】
旅行先で、そのバッグから介護者が各パーツを取り出す。具体的には図３に示すように、袋体１を折り畳んだ状態のまま前記バッグから取り出し、その開放端を上向きにして例えば風呂場の床上に置く。その際、組み立て中又は組み立て後の簡易風呂１００ａの転倒を防止するために、できれば同風呂場の壁などを利用して、簡易風呂１００ａの少なくとも一側面をもたせ掛けるとともに、吸盤（図略）で前記風呂場の壁などに固定することが望ましい。
【００３８】
ついで、図３（ａ）に示すように、介護者（図略）が、立ち姿勢の被介護者２００を支えて袋体１の中に入るように導き、その状態で、図３（ｂ）に示すように、袋体１を上方に引き上げることで伸展させる。このとき、椅子２は被介護者２００のすぐ後側に置いておく。
【００３９】
ついで、図３（ｃ）に示すように、前記介護者が、被介護者２００を袋体１に入ったままの状態で椅子２に腰掛けさせ、図３（ｄ）に示すように、周囲に４面の壁体３と、補助壁体４とをそれぞれ取り付ける。
【００４０】
本簡易風呂１００ａでは、この補助壁体４で袋体１を、被介護者２００の体格に応じて最適な形状となるように設定することができる。具体的には、補助壁体４を何種類か用意しておいてその中から最適なものを選択するか、あるいは形状寸法を調整可能なものとすればよい。
【００４１】
ついで、前記風呂場の図示しない浴槽や給湯栓にホースで接続したポンプ等を使用して、袋体１内に給湯する。そして、図１に示すように、湯面１０が被介護者２００の体格に応じた適当な高さ位置となったところで、給湯を停止する。給湯した状態の袋体１は、水圧により若干外側に膨らんだ状態となるが、これにより、被介護者２００は椅子２に座ったまま必要なスペースで入浴することができるようになる。被介護者２００の入浴が終わった後、介護者は前記ポンプを再度使用して、袋体１内のお湯を前記風呂場の図示しない浴槽等に汲み出すことができる。
【００４２】
引き続いて、簡易風呂１００ａの分解を行う。すなわち、介護者は袋体１の上部の留め金６に取り付けたフック７の他端を、各壁体３から取り外して、正面の壁体３を開く。すると、袋体１は重力落下して、もとの折り畳んだ状態に戻るので、介護者は椅子２に座ったままの被介護者２００を支えて袋体１から容易に外側に連れ出すことができる。
【００４３】
そして、各壁体３を袋体１の周囲から取り外す。このとき、補助壁体４を壁体３から取り外しておく。それぞれを折り畳むなどして、もとの状態に戻した各パーツを前記バッグに収納することにより、本簡易風呂１００ａを持ち運ぶことができるようになる。このようにして、本簡易風呂１００ａを旅行先等で容易に組み立てることができ、或いはこの組み立てたものを容易に分解することができる。
【００４４】
以上説明したように、本簡易風呂１００ａによれば、上部が開放され、かつ上下方向に伸縮自在な袋体１と、この袋体１の外周に設けられる金網状の壁体３と、この壁体３と袋体１との間に交換可能に介設され、被介護者２００の体格に応じて袋体１の容積を増減させるための補助壁体４とが備えられたので、被介護者２００の体格に応じて補助壁体４を交換することにより、袋体１を立体的に変形させてその容積の増減を効果的に行うことができる。これにより、袋体１内に貯留する湯水の無駄を非常に少なくすることができる。すなわち、通常の風呂に貯留する湯水は２００〜２５０Ｌであるが、本簡易風呂１００ａで貯留する湯水は１４０Ｌ程度で済む。
【００４５】
また、袋体１の外周に壁体３を設けただけの簡易風呂に、補助壁体４を後付けできて便利である。これにより、簡易風呂を使用する被介護者２００が複数であった場合や、たとえ同一人であっても加齢などによりその体格が大幅に変わった場合などにも、補助壁体４を交換するだけで対応できるので、非常に経済的である。
【００４６】
ここでは、椅子２を袋体１の下方に配置しているから、この椅子２の分だけ袋体１の容積を減じることにより、袋体１内に貯留する湯水の無駄をさらに少なくすることができる。
【００４７】
また、簡易風呂１００ａを旅行先等に持ち運ぼうとしたときには、できるだけ軽量であることが好ましいが、ここでは金網状の壁体３を設けているため、それらを軽量化できる。したがって、従来例（特許文献１）と同程度の重量であるとすると、袋体１内の入浴スペースをより広くとることができる一方、前記従来例と同程度の入浴スペースであるとすると、さらなる軽量化を図ることができる。
【００４８】
（実施形態２）
図４は本発明の実施形態２に係る簡易風呂１００ｂの概略構成を示す図であって、（ａ）は側面図、（ｂ）は正面図である。また、図５はこの簡易風呂１００ｂの壁体３と補助壁体４とを示す説明図である。
【００４９】
図４（ａ）（ｂ），図５に示すように、本実施形態２に係る簡易風呂１００ｂは、使用者としての例えば高齢者や身体障害者等の被介護者２００が椅子２を使用せずに入浴可能なものであって、上記実施形態１と同様に、上部が開放され、かつ上下方向に伸縮自在な袋体１と、この袋体１の外周に設けられる金網状の壁体３と、この壁体３と袋体１との間に交換可能に介設され、被介護者２００の体格に応じて袋体１の容積を増減させるための補助壁体４とを備えている。
【００５０】
ただし、上記実施形態１とは異なり、袋体１の組み立て形状は、底部が５００×８００ｍｍ程度で、高さが６００ｍｍ程度の上部が開放された横長箱状のものである。
【００５１】
壁体３は、図５の下段に示すように、例えばステンレス製で四角形の網状体４面３１，３２，３３，３４からなっているが、ここでは、壁体３１，３３の大きさとして、５００ｍｍ×６００ｍｍ、壁体３２，３４の大きさとして８００ｍｍ×６００ｍｍをそれぞれ採用している。被介護者２００の体格によっては、他の寸法を採用することもできる。
【００５２】
壁体３１，３２，３３，３４の網目の大きさや形状は、袋体１にお湯を張ったときの袋体１の膨らみなどを考慮して設定されるが、ここでは、１００ｍｍ×１００ｍｍ程度の正方形を採用したが、菱形やその他の形状であってもよい。そして、折り畳み時に最小化するために、隣り合う壁体同士である３２，３３間と、３１，３４間とは、例えばヒンジ結合されて折り畳み自在となっている。残りの３１，３２間と、３３，３４間とは、それぞれ留め金３０で係脱自在に固定されるようになっている。
【００５３】
補助壁体４は、図５の上段に示すように、例えばステンレス製の網状体からなり、これを前記壁体の１面３１にフック４０で交換可能に取り付けるようになっているが、ここでは、５００ｍｍ×３００ｍｍ、５００ｍｍ×５００ｍｍ程度の２面を横面視でＬ字状に連結したものを採用している。なお、この補助壁体４についても、特に嵩高いものについては、壁体３と同様に折り畳み自在となっていることが好ましい。
【００５４】
以下、本簡易風呂１００ｂの組み立て・分解方法について説明する。図６は本簡易風呂１００ｂの組み立て状態を示す工程図である。
【００５５】
それぞれ折り畳み或いは縮小させた状態の袋体１と４面の壁体３と補助壁体４などからなる各パーツは、すべて図略のバッグ内に収められており、その全体の重量は４〜６ｋｇ（発明者が実施モデルにて実測した値である。）程度と軽量であるがゆえに、旅行時に容易に持ち運びできる。ここでは、上記実施形態１とは異なり、椅子２を使用しないものとする。
【００５６】
旅行先で、そのバッグから介護者が各パーツを取り出す。具体的には図６に示すように、袋体１を折り畳んだ状態のまま前記バッグから取り出し、その開放端を上向きにして例えば風呂場の床上に置く。その際、組み立て中又は組み立て後の簡易風呂１００ｂの転倒を防止するために、できれば同風呂場の壁などを利用して、簡易風呂１００ｂの少なくとも一側面をもたせ掛けるとともに、吸盤（図略）で前記風呂場の壁などに固定することが望ましい。
【００５７】
ついで、図６（ａ）に示すように、介護者が、足を伸ばしての座り姿勢の被介護者２００を支えて袋体１の中に入るように導き、その状態で、図６（ｂ）に示すように、袋体１を上方に引き上げることで伸展させる。
【００５８】
ついで、図６（ｃ）に示すように、周囲に４面の壁体３と、補助壁体４とをそれぞれ取り付ける。この取り付けは、被介護者２００自身が行うこともできる。本簡易風呂１００ｂでは、この補助壁体４で袋体１を、被介護者２００の体格に応じて最適な形状となるように設定することができる。具体的には、補助壁体４を何種類か用意しておいてその中から最適なものを選択するか、あるいは形状寸法を調整可能なものとすればよい。
【００５９】
ついで、前記風呂場の図示しない浴槽や給湯栓にホースで接続したポンプ等を使用して、袋体１内に給湯する。そして、図４に示すように、湯面１０が被介護者２００の体格に応じた適当な高さ位置となったところで、給湯を停止する。給湯した状態の袋体１は、水圧により若干外側に膨らんだ状態となるが、これにより、被介護者２００は椅子２に座ったまま必要なスペースで入浴することができるようになる。被介護者２００の入浴が終わった後、介護者は前記ポンプを再度使用して、袋体１内のお湯を前記風呂場の図示しない浴槽等に汲み出すことができる。
【００６０】
引き続いて、簡易風呂１００ａの分解を行う。すなわち、介護者は袋体１の上部の留め金６に取り付けたフック７の他端を、各壁体３から取り外して、正面の壁体３を開く。すると、袋体１は重力落下して、もとの折り畳んだ状態に戻るので、介護者は袋体１の底部に直に座ったままの被介護者２００を支えて、その袋体１から容易に外側に連れ出すことができる。
【００６１】
そして、各壁体３を袋体１の周囲から取り外す。このとき、補助壁体４を壁体３から取り外しておく。それぞれを折り畳むなどして、もとの状態に戻した各パーツを前記バッグに収納することにより、本簡易風呂１００ｂを持ち運ぶことができるようになる。このようにして、本簡易風呂１００ｂを旅行先等で容易に組み立てることができ、或いはこの組み立てたものを容易に分解することができる。
【００６２】
以上説明したように、本簡易風呂１００ｂによれば、上記実施形態１と同様に、被介護者２００の体格に応じて袋体１の容積を増減させることにより、袋体１内に貯留する湯水の無駄を少なくすることができる。すなわち、通常の風呂に貯留する湯水は２００〜２５０Ｌであるが、本簡易風呂１００ｂで貯留する湯水は１８０Ｌ程度で済む。ただし、ここでは、上記実施形態１と異なり、椅子２を使用しないので、被介護者２００は比較的広い入浴スペースが与えられる。
【００６３】
また、簡易風呂１００ｂを旅行先等に持ち運ぼうとしたときには、できるだけ軽量であることが好ましいが、ここでは金網状の壁体３を設けているため、それらを軽量化できる。したがって、従来例（特許文献１）と同程度の重量であるとすると、袋体１内の入浴スペースをより広くとることができる一方、前記従来例と同程度の入浴スペースであるとすると、さらなる軽量化を図ることができる。
【００６４】
（実施形態３）
図７は本発明の実施形態３に係る簡易風呂１００ｃの概略構成を示す図であって、（ａ）は側面図、（ｂ）は正面図である。なお、この簡易風呂１００ｃの壁体３と補助壁体４とを示す説明図は、上記実施形態１のそれと同様であるので、図２を用いて説明する。
【００６５】
図７（ａ）（ｂ），図２に示すように、本実施形態３に係る簡易風呂１００ｃは、使用者としての例えば高齢者や身体障害者等の被介護者２００がシャワーキャリー８に腰掛けた状態で入浴可能なものであって、上部が開放され、かつ上下方向に伸縮自在な袋体１と、この袋体１の外周に設けられる金網状の壁体３と、この壁体３と袋体１との間に交換可能に介設され、前記身体障害者又は老齢者２００の体格に応じて前記袋体１の容積を増減させるための補助壁体４とを備えている。ここで、シャワーキャリー８とは、キャスタや車輪が付いている椅子の一種であって、例えば被介護者２００を居室や脱衣場から洗い場へと移動させ、そのままシャワー浴を行うために使用されるものである。
【００６６】
袋体１の組み立て形状は、上記実施形態１と同様に、底部が５００×６００ｍｍ程度で、高さが８００ｍｍ程度の上部が開放された縦長箱状のものである。
【００６７】
壁体３は、図２の下段に示すように、例えばステンレス製で四角形の網状体４面３１，３２，３３，３４からなっている。ここでは、壁体３１，３３の大きさとして、５００ｍｍ×８００ｍｍ、壁体３２，３４の大きさとして６００ｍｍ×８００ｍｍをそれぞれ採用しているが。被介護者２００の体格によっては、他の寸法を採用することもできる。
【００６８】
そして、隣り合う壁体同士である３１，３２間と、３２，３３間と、３３，３４間とは、例えばヒンジ結合されて折り畳み自在となっている。残りの３１，３４間は、被介護者２００の出入りが楽にできるように、留め金３０で係脱自在に固定されるようになっている。
【００６９】
補助壁体４は、図２の上段に示すように、例えばステンレス製の網状体からなり、これを前記壁体の１面３１にフック４０で交換可能に取り付けるようになっているが、ここでは、５００ｍｍ×３００ｍｍ、５００ｍｍ×２００ｍｍ、５００ｍｍ×３００、５００×１００ｍｍ程度の４面を階段状に連結したものを採用している。なお、この補助壁体４についても、特に嵩高いものについては、壁体３と同様に折り畳み自在となっていることが好ましい。
【００７０】
以下、本簡易風呂１００ｃの組み立て・分解方法について説明する。図８は本簡易風呂１００ｃの組み立て状態を示す工程図である。
【００７１】
それぞれ折り畳み或いは縮小させた状態の袋体１と４面の壁体３と補助壁体４などからなる各パーツは、すべて図略のバッグ内に収められており、その全体の重量は４〜６ｋｇ（発明者が実施モデルにて実測した値である。ただし、シャワーキャリー８を除く。）程度と軽量であるがゆえに、旅行時に容易に持ち運びできる。シャワーキャリー８は被介護者２００にとって手放せないものであるから、別途持参することが好ましい。
【００７２】
旅行先で、そのバッグから介護者が各パーツを取り出す。具体的には図８に示すように、袋体１を折り畳んだ状態のまま前記バッグから取り出し、その開放端を上向きにして例えば風呂場の床上に置く。その際、組み立て中又は組み立て後の簡易風呂１００ｃの転倒を防止するために、できれば同風呂場の壁などを利用して、簡易風呂１００ｃの少なくとも一側面をもたせ掛けるとともに、吸盤（図略）で前記風呂場の壁などに固定することが望ましい。
【００７３】
ついで、図８（ａ）に示すように、介護者（図略）が、立ち姿勢の被介護者２００を支えて袋体１の中に入るように導き、その状態で、図８（ｂ）に示すように、袋体１を上方に引き上げることで伸展させる。このとき、シャワーキャリー８は被介護者２００のすぐ後側に置いておく。
【００７４】
ついで、図８（ｃ）に示すように、前記介護者が、被介護者２００を袋体１に入ったままの状態でシャワーキャリー８に腰掛けさせ、図８（ｄ）に示すように、周囲に４面の壁体３と、補助壁体４とをそれぞれ取り付ける。本簡易風呂１００ｃでは、この補助壁体４で袋体１を、被介護者２００の体格に応じて最適な形状となるように設定することができる。具体的には、補助壁体４を何種類か用意しておいてその中から最適なものを選択するか、あるいは形状寸法を調整可能なものとすればよい。
【００７５】
ついで、前記風呂場の図示しない浴槽や給湯栓にホースで接続したポンプ等を使用して、袋体１内に給湯する。そして、図７に示すように、湯面１０が被介護者２００の体格に応じた適当な高さ位置となったところで、給湯を停止する。給湯した状態の袋体１は、水圧により若干外側に膨らんだ状態となるが、これにより、被介護者２００はシャワーキャリー８に座ったまま必要なスペースで入浴することができるようになる。被介護者２００の入浴が終わった後、介護者は前記ポンプを再度使用して、袋体１内のお湯を前記風呂場の図示しない浴槽等に汲み出すことができる。
【００７６】
引き続いて、簡易風呂１００ｃの分解を行う。すなわち、介護者は袋体１の上部の留め金６に取り付けたフック７の他端を、各壁体３から取り外して、正面の壁体３を開く。すると、袋体１は重力落下して、もとの折り畳んだ状態に戻るので、介護者はシャワーキャリー８に座ったままの被介護者２００を支えて袋体１から容易に外側に連れ出すことができる。
【００７７】
そして、各壁体３を袋体１の周囲から取り外す。このとき、補助壁体４を壁体３から取り外しておく。それぞれを折り畳むなどして、もとの状態に戻した各パーツを前記バッグに収納することにより、本簡易風呂１００ｃを持ち運ぶことができるようになる。このようにして、本簡易風呂１００ｃを旅行先等で容易に組み立てることができ、或いはこの組み立てたものを容易に分解することができる。
【００７８】
以上説明したように、本簡易風呂１００ｃによれば、上記実施形態１と同様の作用効果に加え、シャワーキャリー８を袋体１の下方に配置しているから、このシャワーキャリー８の分だけ袋体１の容積を減じることにより、袋体１内に貯留する湯水の無駄をさらに少なくすることができる。すなわち、通常の風呂に貯留する湯水は２００〜２５０Ｌであるが、本簡易風呂１００ａで貯留する湯水は１４０Ｌ程度で済む。また、シャワーキャリー８の付着物によって湯水が汚染されることもないので、衛生面でも優れているといえる。
【００７９】
（実施形態４）
図９は本発明の実施形態４に係る簡易風呂１００ｄの概略構成を示す図であって、（ａ）は側面図、（ｂ）は正面図である。なお、この簡易風呂１００ｄの壁体３と補助壁体４とを示す説明図は、上記実施形態２のそれと同様であるので、図５を用いて説明する。
【００８０】
図９（ａ）（ｂ），図５に示すように、本実施形態４に係る簡易風呂１００ｄは、使用者としての例えば高齢者や身体障害者等の被介護者２００が椅子２を使用せずに入浴可能なものであって、上記実施形態２と同様に、上部が開放され、かつ上下方向に伸縮自在な袋体１と、この袋体１の外周に設けられる金網状の壁体３と、この壁体３と袋体１との間に交換可能に介設され、被介護者２００の体格に応じて袋体１の容積を増減させるための補助壁体４とを備えているが、ここでは、組み立て後の風呂の移動を考慮して、袋体１の底部にキャスタ９０付きの支持体９を備えている。
【００８１】
ただし、上記実施形態１とは異なり、袋体１の組み立て形状は、底部が５００×８００ｍｍ程度で、高さが６００ｍｍ程度の上部が開放された横長箱状のものである。
【００８２】
壁体３は、図５の下段に示すように、例えばステンレス製で四角形の網状体４面３１，３２，３３，３４からなっているが、ここでは、壁体３１，３３の大きさとして、５００ｍｍ×６００ｍｍ、壁体３２，３４の大きさとして８００ｍｍ×６００ｍｍをそれぞれ採用している。被介護者２００の体格によっては、他の寸法を採用することもできる。
【００８３】
そして、折り畳み時に最小化するために、隣り合う壁体同士である３２，３３間と、３１，３４間とは、例えばヒンジ結合されて折り畳み自在となっている。残りの３１，３２間と、３３，３４間とは、それぞれ留め金３０で係脱自在に固定されるようになっている。
【００８４】
補助壁体４は、図５の上段に示すように、例えばステンレス製の網状体からなり、これを前記壁体の１面３１にフック４０で交換可能に取り付けるようになっているが、ここでは、５００ｍｍ×３００ｍｍ、５００ｍｍ×５００ｍｍ程度の２面を横面視でＬ字状に連結したものを採用している。なお、この補助壁体４についても、特に嵩高いものについては、壁体３と同様に折り畳み自在となっていることが好ましい。
【００８５】
以下、本簡易風呂１００ｄの組み立て・分解方法について説明する。図１０は本簡易風呂１００ｄの組み立て状態を示す工程図である。
【００８６】
それぞれ折り畳み或いは縮小させた状態の袋体１と４面の壁体３と補助壁体４とフック７などからなる各パーツは、すべて図略のバッグ内に収められており、その全体の重量は４〜６ｋｇ（発明者が実施モデルにて実測した値である。支持体９は含まないものとする。）程度と軽量であるがゆえに、旅行時に容易に持ち運びできる。ここでは、支持体９の代用にキャスタ付きのベッドを使用することができる。
【００８７】
旅行先で、そのバッグから介護者が各パーツを取り出す。具体的には図１０に示すように、袋体１を折り畳んだ状態のまま前記バッグから取り出し、その開放端を上向きにして例えば風呂場の床上に置く。その際、組み立て中又は組み立て後の簡易風呂１００ｄの転倒を防止するために、できれば同風呂場の壁などを利用して、簡易風呂１００ｄの少なくとも一側面をもたせ掛けるとともに、吸盤（図略）で前記風呂場の壁などに固定することが望ましい。
【００８８】
ついで、図１０（ａ）に示すように、介護者（図略）が、足を伸ばしての座り姿勢の被介護者２００を支えて袋体１の中に入るように導き、その状態で、図１０（ｂ）に示すように、袋体１を上方に引き上げることで伸展させる。
【００８９】
ついで、図１０（ｃ）に示すように、周囲に４面の壁体３と、補助壁体４とをそれぞれ取り付ける。この取り付けは、被介護者２００自身が行うこともできる。本簡易風呂１００ｄでは、この補助壁体４で袋体１を、被介護者２００の体格に応じて最適な形状となるように設定することができる。具体的には、補助壁体４を何種類か用意しておいてその中から最適なものを選択するか、あるいは形状寸法を調整可能なものとすればよい。
【００９０】
ついで、前記風呂場の図示しない浴槽や給湯栓にホースで接続したポンプ等を使用して、袋体１内に給湯する。そして、図９に示すように、湯面１０が被介護者２００の体格に応じた適当な高さ位置となったところで、給湯を停止する。給湯した状態の袋体１は、水圧により若干外側に膨らんだ状態となるが、これにより、被介護者２００は座ったまま必要なスペースで入浴することができるようになる。被介護者２００の入浴が終わった後、介護者は前記ポンプを再度使用して、袋体１内のお湯を前記風呂場の図示しない浴槽等に汲み出すことができる。
【００９１】
引き続いて、簡易風呂１００ｄの分解を行う。すなわち、介護者は袋体１の上部の留め金６に取り付けたフック７の他端を、各壁体３から取り外して、正面の壁体３を開く。すると、袋体１は重力落下して、もとの折り畳んだ状態に戻るので、介護者は袋体１の底部に直に座ったままの被介護者２００を支えて、その袋体１から容易に外側に連れ出すことができる。
【００９２】
そして、各壁体３を袋体１の周囲から取り外す。このとき、補助壁体４を壁体３から取り外しておく。それぞれを折り畳むなどして、もとの状態に戻した各パーツを前記バッグに収納することにより、本簡易風呂１００ｄを持ち運ぶことができるようになる。このようにして、本簡易風呂１００ｄを旅行先等で容易に組み立てることができ、或いはこの組み立てたものを容易に分解することができる。
【００９３】
以上説明したように、本簡易風呂１００ｄによれば、上記実施形態２と同様の作用効果に加え、袋体１の底部にキャスタ９０付きの支持体９を備えているので、組み立て後の風呂の移動が容易となる。
【００９４】
（実施形態５）
図１１は本発明の実施形態５に係る簡易風呂１００ｅの概略構成を示す側面図、図１２はこの簡易風呂１００ｅの壁体３と補助壁体４とを示す説明図である。
【００９５】
図１１，図１２に示すように、本実施形態５に係る簡易風呂１００ｅは、使用者としての例えば高齢者や身体障害者等の被介護者２００が椅子２に腰掛けた状態で入浴可能なものであって、上部が開放され、かつ上下方向に伸縮自在な袋体１と、この袋体１の外周に設けられる金網状の壁体３と、この壁体３と袋体１との間に交換可能に介設され、前記身体障害者又は老齢者２００の体格に応じて前記袋体１の容積を増減させるための補助壁体４とを備えている。
【００９６】
袋体１の組み立て形状は、上記実施形態１と同様に、底部が５００×６００ｍｍ程度で、高さが８００ｍｍ程度の上部が開放された縦長箱状のものである。
【００９７】
壁体３は、図１２の下段に示すように、例えばステンレス製で四角形の網状体３面３２，３３，３４からなっている。ここでは、壁体３３の大きさとして、５００ｍｍ×８００ｍｍ、壁体３２，３４の大きさとして６００ｍｍ×８００ｍｍをそれぞれ採用しているが。被介護者２００の体格によっては、他の寸法を採用することもできる。
【００９８】
そして、隣り合う壁体同士である３２，３３間と、３３，３４間とは、例えばヒンジ結合されて折り畳み自在となっている。一方、３２，３４と風呂場の壁１３との間は、吸盤１２で着脱自在に固定されるようになっている。
【００９９】
補助壁体４は、図１２の上段に示すように、例えばステンレス製の網状体からなり、これを前記壁体の１面３１にフック４０で取り付けるようになっているが、ここでは、５００ｍｍ×３００ｍｍ、５００ｍｍ×２００ｍｍ、５００ｍｍ×３００、５００×１００ｍｍ程度の４面を階段状に連結したものを採用している。なお、この補助壁体４についても、特に嵩高いものについては、壁体３と同様に折り畳み自在となっていることが好ましい。
【０１００】
以下、本簡易風呂１００ｅの組み立て・分解方法について説明する。図１３は本簡易風呂１００ｅの組み立て状態を示す工程図である。
【０１０１】
それぞれ折り畳み或いは縮小させた状態の袋体１と４面の壁体３と補助壁体４などからなる各パーツは、すべて図略のバッグ内に収められており、その全体の重量は４〜６ｋｇ（発明者が実施モデルにて実測した値である。）程度と軽量であるがゆえに、旅行時に容易に持ち運びできる。
【０１０２】
旅行先で、そのバッグから介護者が各パーツを取り出す。具体的には、袋体１を折り畳んだ状態のまま前記バッグから取り出し、その開放端を上向きにして例えば風呂場の床上に置く。その際、組み立て中又は組み立て後の簡易風呂１００ｅの転倒を防止するために、図１１に示すように、同風呂場の壁（構造壁に相当する。）１３などを利用して、簡易風呂１００ｃの後面をもたせ掛けるとともに、吸盤１２で前記風呂場の壁などに固定している。
【０１０３】
ついで、図１３（ａ）に示すように、介護者（図略）が、立ち姿勢の被介護者２００を支えて袋体１の中に入るように導き、その状態で、図１３（ｂ）に示すように、袋体１を上方に引き上げることで伸展させる。このとき、椅子２は被介護者２００のすぐ後側に置いておく。
【０１０４】
ついで、図１３（ｃ）に示すように、前記介護者が、被介護者２００を袋体１に入ったままの状態で椅子２に腰掛けさせ、図１３（ｄ）に示すように、周囲に３面の壁体３と、補助壁体４とをそれぞれ取り付ける。本簡易風呂１００ｅでは、この補助壁体４で袋体１を、被介護者２００の体格に応じて最適な形状となるように設定することができる。具体的には、補助壁体４を何種類か用意しておいてその中から最適なものを選択するか、あるいは形状寸法を調整可能なものとすればよい。
【０１０５】
ついで、前記風呂場の図示しない浴槽や給湯栓にホースで接続したポンプ等を使用して、袋体１内に給湯する。そして、図１１に示すように、湯面１０が被介護者２００の体格に応じた適当な高さ位置となったところで、給湯を停止する。給湯した状態の袋体１は、水圧により若干外側に膨らんだ状態となるが、これにより、被介護者２００は椅子２に座ったまま必要なスペースで入浴することができるようになる。被介護者２００の入浴が終わった後、介護者は前記ポンプを再度使用して、袋体１内のお湯を前記風呂場の図示しない浴槽等に汲み出すことができる。
【０１０６】
引き続いて、簡易風呂１００ｅの分解を行う。すなわち、介護者は袋体１の上部の留め金６に取り付けたフック７の他端を、各壁体３から取り外して、正面の壁体３を開く。すると、袋体１は重力落下して、もとの折り畳んだ状態に戻るので、介護者は椅子２に座ったままの被介護者２００を支えて袋体１から容易に外側に連れ出すことができる。
【０１０７】
そして、各壁体３を袋体１の周囲から取り外す。このとき、補助壁体４を壁体３から取り外しておく。それぞれを折り畳むなどして、もとの状態に戻した各パーツを前記バッグに収納することにより、本簡易風呂１００ｅを持ち運ぶことができるようになる。このようにして、本簡易風呂１００ｅを旅行先等で容易に組み立てることができ、或いはこの組み立てたものを容易に分解することができる。
【０１０８】
以上説明したように、本簡易風呂１００ｅによれば、上記実施形態１と同様の作用効果に加え、同風呂場の壁１３などを利用して、簡易風呂１００ｅの後面をもたせ掛けるとともに、吸盤１２で前記風呂場の壁１３などに固定しているので、簡易風呂１００ｅの転倒を防止できる。なお、風呂場の壁１３などに固定するのは、簡易風呂１００ｅの後面に限らず、左右あるいは正面の少なくともいずれかであるとしてもよい。
【０１０９】
なお、上記実施形態１〜５では、いずれも袋体１の形状や大きさを壁体３のそれと一致させているが、必ずしも一致させる必要はない。また、上記実施形態１〜５では、いずれも袋体１と壁体３と補助壁体４の形状や大きさを、その利用者である被介護者２００が成人男性の場合を想定して設定しているが、女性や子供であればさらに小さく設定することが好ましい。
【０１１０】
また、上記実施形態１〜５では、いずれも袋体１の断面形状を略四角形としているが、被介護者２００にとって必要な入浴スペースを提供することができるのであれば、その他の多角形や円形であってもよい。この袋体１の形状に応じて、壁体３の形状を他の形状としてもよい。また、補助壁体４はフック４０で壁体３に係止するようにしているが、嵌め込み構造としてもよく、さらに持ち運びに支障がなければ、特に壁体３から取り外す必要もない。
【０１１１】
また、冬場には外気温度が低くなるため、袋体１の外周からの放熱が大きくなり、その袋体１内に貯留される湯水の量が少ない場合には、特に湯水の温度が低下しやすい。そこで、上記実施形態１における、図１の二点鎖線で示すように、壁体３の外周を覆う補助袋体１１を備えることが好ましい。この補助袋体１１としては、市販のテントシートを採用することができる。これにより、いわば二重構造となって、袋体１の外周からの放熱がきわめて小さくなり、その袋体１内に貯留される湯水の温度が維持されやすくなる。補助袋体１１は、壁体３の内周において、袋体１と僅かな隙間を介して設けてもよい。上記実施形態２〜４についても同様である。
【０１１２】
さらに、上記実施形態１〜５では、いずれも本簡易風呂１００ａ〜１００ｅの使用者として、例えば高齢者や身体障害者等の被介護者２００を例示しているが、健常者が本簡易風呂１００ａ〜１００ｅを使用してもよいのはいうまでもない。
【符号の説明】
【０１１３】
１００ａ，１００ｂ，１００ｃ，１００ｄ，１００ｅ  簡易風呂
１  袋体
２  椅子
３  壁体
４  補助壁体
６  留め金
７  フック
８  シャワーキャリー
９  支持体
１０  湯面
１１  補助袋体
１２  吸盤
１３  風呂場の壁（構造壁に相当する。）
【先行技術文献】
【特許文献】
【０１１４】
【特許文献１】特開平１０−１２７５１１号公報
【図１】
2012019837.tif 000003
【図２】
2012019837.tif 000004
【図３】
2012019837.tif 000005
【図４】
2012019837.tif 000006
【図５】
2012019837.tif 000007
【図６】
2012019837.tif 000008
【図７】
2012019837.tif 000009
【図８】
2012019837.tif 000010
【図９】
2012019837.tif 000011
【図１０】
2012019837.tif 000012
【図１１】
2012019837.tif 000013
【図１２】
2012019837.tif 000014
【図１３】
2012019837.tif 000015